(57)【特許請求の範囲】
【請求項１】
液透過性のトップシートと、液不透過性のバックシートと、これら両シート間に配置される吸収体とを有する本体を備え、着用者の腹側に位置する腹側部及び背側に位置する背側部それぞれの両側縁部を接合固定して、ウエスト開口部と、一対のレッグ開口部と胴周囲部とを形成し、上記ウエスト開口部及び一対のレッグ開口部それぞれの開口周囲部に伸縮部材を配置し並びに上記胴周囲部の周囲方向の少なくとも一部に伸縮部材を配置してそれぞれギャザーを形成したパンツ型の使い捨ておむつであって、
上記ウエスト開口周囲部、上記レッグ開口周囲部及び上記胴周囲部それぞれの周囲方向の伸縮応力が異なり、
上記ウエスト開口周囲部、上記胴周囲部、上記レッグ開口周囲部における各部の５０％伸長時の応力が、ウエスト開口周囲部＞レッグ開口周囲部＞胴周囲部、なる大きさの関係を有し、
上記ウエスト開口周囲部における上記背側部と上記腹側部の伸縮応力が異なることを特徴とする使い捨ておむつ。
【請求項２】
上記レッグ開口周囲部と上記胴周囲部とのそれぞれにはギャザーが形成されており、上記レッグ開口周囲部のギャザーと上記胴周囲部のギャザーとの間の領域には、弾性伸縮部材が存在していないことを特徴とする請求項１に記載の使い捨ておむつ。
【請求項３】
上記弾性伸縮部材が存在しない領域が胴周囲部に沿って、１０〜１００mmの幅で形成されていることを特徴とする請求項２記載の使い捨ておむつ。
【発明の詳細な説明】
【０００１】
【産業上の利用分野】
本発明は、幼児用、大人用あるいは失禁者用の使い捨ておむつに関し、特に、いわゆるパンツ型おむつに関する。
【０００２】
【従来の技術】
一般に、パンツ型おむつは、特開昭６１−２０７６０５号公報に開示されているように、液透過性のトップシートと、液不透過性のバックシートと、これら両シート間に介在された吸収体とからなる縦長の本体を備え、該本体は、着用時に着用者の腹側に位置する腹側部と背側に位置する背側部とに分けられている。そして、本体の長手方向に沿う両側に形成された左右一対のサイドフラップにおいて腹側部と背側部とを互いに接合固定して左右一対のレッグ開口部及び一つのウエスト開口部が形成されている。
【０００３】
この種のパンツ型おむつは、一対のレッグ開口周囲部及び一つのウエスト開口周囲部をそれぞれ伸縮自在に形成して体型にフィットするように構成されており、通常、着用者自らが立位の状態で着用することができるので、幼児の「おむつ離れ」を促進するためのトイレットトレーニング用として、または失禁者用もしくは歩行可能な成人用として用いられている。
【０００４】
パンツ型おむつは、いわゆるフラット型のおむつに比較して、通常の下着と同様に着用者が自分で上げ下げが容易で且つ介護者が着用させ易いという点に特徴を有するもので、着用者自身が排泄物を漏らさないように、しかも容易に装着できるようにするためには、パンツ型の使い捨ておむつは優れたフィット性を有していることが要求される。さらに、着用者の活発な活動に対しても十分な追従性を有することが要求される。
【０００５】
【発明が解決しようとする課題】
しかしながら、従来のパンツ型おむつにおいては、ウエスト開口周囲部からレッグ開口周囲部にかけて一様に伸縮弾性部材（伸縮部材）が配されている場合、着用者の身体形状は、一様でなく、股部からウエスト部の間において窪んだ略鼓型形状をしているため、ウエスト開口周囲部とレッグ開口周囲部とにはフィットするが、着用者の胴周囲部には充分にフィットできないという不都合がある。
【０００６】
このように着用者に確実にフィットできないと、着用者とおむつの間の隙間から排泄物が漏れたり、着用者の活動に対して追従性に欠け、おむつがずり落ちるといった問題がある。
一方、ウエスト開口周囲部からレッグ開口周囲部にかけての伸縮弾性部材の伸縮力を、フィット性に最も困難な箇所にあわせて一様に強くしたのでは、必要以上に着用者に圧迫感を感じさせ装着感に著しく劣るという問題点がある。
【０００７】
従って、本発明の目的は、吸収性物品の排泄物の防漏性及び着用者への追従性に優れたパンツ型の使い捨ておむつを提供することにある。
【０００８】
【課題を解決するための手段】
本発明は、液透過性のトップシートと、液不透過性のバックシートと、これら両シート間に配置される吸収体とを有する本体を備え、着用者の腹側に位置する腹側部及び背側に位置する背側部それぞれの両側縁部を接合固定して、ウエスト開口部と、一対のレッグ開口部と胴周囲部とを形成し、上記ウエスト開口部及び一対のレッグ開口部それぞれの開口周囲部に伸縮部材を配置し並びに上記胴周囲部の周囲方向の少なくとも一部に伸縮部材を配置してそれぞれギャザーを形成したパンツ型の使い捨ておむつであって、上記ウエスト開口周囲部、上記レッグ開口周囲部及び上記胴周囲部それぞれの周囲方向の伸縮応力が異なり、上記ウエスト開口周囲部、上記胴周囲部、上記レッグ開口周囲部における各部の５０％伸長時の応力が、ウエスト開口周囲部＞レッグ開口周囲部＞胴周囲部、なる大きさの関係を有し、上記ウエスト開口周囲部における上記背側部と上記腹側部の伸縮応力が異なることを特徴とする使い捨ておむつを提供することにより上記目的を達成したものである。
【０００９】
【作用】
本発明によるパンツ型の使い捨ておむつによれば、上記ウエスト開口周囲部と一対のレッグ開口周囲部と胴周囲部との各部における伸縮応力が異なり且つ所定の大きさの関係にあり、それぞれの部分に応じた伸縮応力を付与するので、着用者の身体形状に応じて各身体の部分に個別にフィットし、着用者を圧迫することなく効果的に漏れ及びずり落ちを防止することができる。
【００１０】
【実施例】
以下に、添付図面を参照しながら本発明の好ましい実施例を詳細に説明する。先ず、図１〜図３を参照しながら本発明の使い捨ておむつの参考例を説明し、次に、図４を参照しながら本発明の使い捨ておむつの一実施例を説明する。図１〜図３に示す参考例は、本発明の使い捨ておむつとは、ウエスト開口周囲部における背側部と腹側部の応力が同じである点のみが異なり、その他の点については同様の構成を有している。従って、図４に示す実施例については、図１〜図３に示す参考例とは異なる点を中心に説明し、特に説明にしない点については、図１〜図３に示す参考例についての説明が適宜適用される。
参考例のパンツ型おむつ１は、その展開した状態を図１及び図２に示すように、液透過性のトップシート２と、液不透過性のバックシート３と、これら両シート間に配置される吸収体４とを有する本体５を備え、該本体５は、着用時に着用者の腹側に位置する腹側部６と、背側に位置する背側部７とに区分されており、腹側部６と背側部７との両側縁部６ａ、６ｂ、７ａ、７ｂを接合固定して、図３に示すパンツ型を形成し、ウエスト開口周囲部Ａと一対のレッグ開口周囲部Ｃとが形成されるようになっている。更に、ウエスト開口周囲部Ａと一対のレッグ開口周囲部Ｃとの間に胴周囲部Ｂが形成されている。ウエスト開口周囲部Ａと、各レッグ開口周囲部Ｃには、それぞれ、吸収体４から一定の距離をあけて伸縮部材１１ａ、１１ｂ、１２ａ、１２ｂが張設されており、ウエストギャザー１３、レッグギャザー１４ａ、１４ｂが形成されている。また、胴周囲部Ｂには、ウエスト開口周囲部Ａ及びレッグ開口周囲部Ｃと同様に、伸縮部材１７ａ、１７ｂが張設され胴周囲ギャザーを形成しているが、該伸縮部材１７ａ、１７ｂは一端が吸収体にかかり、他端が両側縁部６ａ、６ｂ、７ａ、７ｂまで延出されている。
【００１１】
上記トップシート２は、排泄物を吸収体４へ透過させる液透過性シートで肌着に近い感触を有したものが好ましく、このような液透過性シートとしては、例えば、織布、不織布、多孔性フィルム等が好ましい。また、トップシート２の周縁部にシリコン系油剤、パラフィンワックス等の疎水性化合物を塗布する方法や、予めアルキルリン酸エステルのような親水性化合物を塗布し、周縁を温水で洗浄する方法により撥水処理を施し、周縁部における尿等の滲みによる漏れを防止することができる。
【００１２】
バックシート３は、熱可塑性樹脂にフィラーを加えて延伸した液不透過性且つ蒸気を透過させる蒸気透過性のシートが用いられ、肌着に近い感触を有したもの、例えば、フィルムと不織布との複合材、あるいはフィルムと織布との複合材料等が用いられる。
吸収体４は、略中央がくびれた砂時計型形状に形成されていることが好ましく、長手方向の長さＬ１が好ましくは３００mm乃至６００mm、参考例では約４００mm、くびれ部分の幅Ｌ２は好ましくは８０mm乃至１１０mm、参考例では約９０mmに形成されている。吸収体４の腹側、背側における幅Ｌ３は、好ましくは１２０mm乃至３５０mm、参考例では約１６０mm、吸収体４から延出するサイドフラップの幅Ｌ４は好ましくは１０mm乃至１５０mm、参考例では約１００mm、両側縁部Ｌ５は、好ましくは５mm乃至３０mm、参考例では約１０mmである。
【００１３】
吸収体４の材料としては、解繊パルプを主材とし、高分子吸水ポリマーを併用したものが好ましく、その他、熱可塑性樹脂、セルロース繊維、あるいは高分子吸水ポリマーの混合物に熱処理したものが好ましい。高分子吸水ポリマーの存在位置は上層、中層、下層のいずれであってもよく、パルプと混合したものであってもよい。高分子吸水ポリマーは自重の２０倍以上の液体を吸収して保持する性能を有し、ゲル化する性質を有する粒子状のものが好ましく、このような高分子吸水ポリマーとしては、デンプン−アクリル酸（塩）グラフト共重合体のケン化物、ナトリウムカルボキシメチルセルロースの架橋物、アクリル酸（塩）重合体等が好ましい。
【００１４】
本体５において、吸収体４の長手方向の両端縁には、ここから外方へ延出する一対のウエストフラップ１５ａ、１５ｂと上記吸収体４の両側縁から幅方向外方へ延出する左右一対のサイドフラップ１６、１６とが設けられている。各ウエストフラップ１５ａ、１５ｂそれぞれには上述のウエスト開口周囲部Ａの伸縮部材１１ａ、１１ｂが張設されており、左右一対のサイドフラップ１６、１６それぞれにはレッグ開口周囲部Ｃの伸縮部材１２ａ、１２ｂが張設されている。
【００１５】
更に、ウエスト開口周囲部Ａとレッグ開口周囲部Ｃの中間にある胴周囲部Ｂには、伸縮部材１７ａ、１７ｂが張設されている。そして、背側と腹側のサイドフラップ１６ａ、１６ｂの両側縁でそれぞれ部分的に接合固定して、図３に示すように、ウエスト開口周囲部Ａ及び左右一対のレッグ開口周囲部Ｃ、胴周囲部Ｂを形成するようになっている。
【００１６】
尚、ウエストフラップ１５ａ、１５ｂとサイドフラップ１６、１６とは、それぞれトップシート２とバックシート３の重ね合わせ部分でもって本体５に一体に形成されている。
ウエスト開口周囲部Ａとレッグ開口周囲部Ｃに張設される伸縮部材１１ａ、１１ｂ、１２ａ、１２ｂは２００％以上の伸縮率を有し、天然ゴム、合成ゴム、発泡ポリウレタンなどからなる複数本の糸状体としてまたは帯状体としてトップシート２とバックシート３とに連続的に接合されている。
【００１７】
従って、ウエスト開口周囲部Ａの伸縮部材１１ａ、１１ｂはウエスト開口周囲部Ａの周囲に沿って連続して配置され、ウエストギャザー１３を形成することになる。一方、レッグ開口周囲部Ｃの伸縮部材１２ａ、１２ｂは、レッグ開口周囲部Ｃを形成した時に、レッグギャザー１４ａ、１４ｂを形成することになる。
また、胴周囲部Ｂの伸縮部材１７ａ、１７ｂも、上述のウエスト開口周囲部Ａ及びレッグ開口周囲部Ｃのそれぞれの伸縮部材１１ａ、１１ｂ、１２ａ、１２ｂと同様に構成され、胴周囲部Ｂにギャザー１７を形成し、胴周囲部Ｂを着用者の胴周囲にフィットさせるようになっている。
【００１８】
ウエスト開口周囲部Ａの伸縮部材１１ａ、１１ｂ、とレッグ開口周囲部Ｃの伸縮部材１２ａ、１２ｂと、胴周囲部Ｂの伸縮部材１７ａ、１７ｂとは、それぞれ２０％、５０％、１００％伸長時にそれぞれ伸縮応力〔幅５mm、長さ（伸縮方向の長さ）１０mmあたり。以下同じ〕が１０ｇ〜１２０ｇ、２０ｇ〜１５０ｇ、３０ｇ〜２００ｇを示すものを用いるのが好ましく、参考例の伸縮部材が２０％、５０％、１００％伸長時にそれぞれ伸縮応力が約６０ｇ、１４０、２２０ｇを示すものが用いられる。
【００１９】
尚、図２、図３に示すウエスト開口周囲部Ａ、胴周囲部Ｂ、レッグ開口周囲部Ｃは、図５に示すように、着用者である幼児のウエストａ、腰骨部ｂ、股の付け根付近ｃに対応して設けられるものである。
レッグ開口周囲部Ｃの周囲長は着用者の鼠蹊部上を通過しているので活動、姿勢の影響を大きく受ける。即ち、幼児の体型は一般に、腰骨部ｂがウエスト部ａ、股の付け根付近ｃに比べて細くくびれた筒型の形状（略鼓型）を有し、従って、着用者の通常の周囲長は、ウエスト開口周囲部Ａ＞レッグ開口周囲部Ｃ＞胴周囲部Ｂであり、姿勢、活動によるウエスト開口周囲部Ａ、胴周囲部Ｂ、レッグ開口周囲部Ｃの最大変化量（ΔＡ、ΔＢ、ΔＣ）は、△Ａ＞△Ｃ＞△Ｂである。同時に使い捨ておむつの上記各部にかかる応力は、ウエスト開口周囲部Ａ＞レッグ開口周囲部Ｃ＞胴周囲部Ｂの関係になる。
【００２０】
そこで、参考例の使い捨ておむつにおいては、上記ウエスト開口周囲部Ａ、上記胴周囲部Ｂ、上記レッグ開口周囲部Ｃにおける各部の５０％伸長時の応力が、ウエスト開口周囲部Ａ＞レッグ開口周囲部Ｃ＞胴周囲部Ｂ、なる大きさの関係を有するようになしてある。
【００２１】
上述した参考例の使い捨ておむつは、その着用時には、図１の展開した状態から接合部６ａ、６ｂ、７ａ、７ｂを互いに重ねて接合し、図３に示すようなパンツ型を形成する。このパンツ型の状態で、着用者の足をウエスト開口周囲部Ａ、続いてレッグ開口周囲部Ｃに通して引き上げて着用する。
着用した状態では、着用者のウエスト部ａにウエスト開口周囲部Ａ、着用者の腰骨部付近ｂに胴周囲部Ｂ、股の付け根付近ｃにレッグ開口周囲部Ｃが位置し、ウエスト開口周囲部Ａと一対のレッグ開口周囲部Ｃと胴周囲部Ｂにおいてそれぞれウエストギャザー１３、レッグギャザー１４ａ、１４ｂ、胴周囲ギャザー１７を形成する。
【００２２】
この場合、各ギャザー１３、１４ａ、１４ｂ、１７は、それぞれが対応する身体の周囲長さに、着用時の特性等に応じて適当にフィットとするように、弾性応力を付与するものであるから、着用者は圧迫感を感じることがない。また、幼児の姿勢、活動に即した伸縮物性を有しているので、ウエスト開口周囲部Ａ、レッグ開口周囲部Ｃに隙間を生ずることがなく、優れたズリ落ち防止及び漏れ防止性能を発揮する。
【００２３】
また、ウエスト開口周囲部Ａの周囲長は、一般に、着用者の姿勢により最大約５cm変化することが知られているが、胴周囲部Ｂの周囲長は腰骨部上から臀部を通過しているので着用者の姿勢にはあまり影響されない。
更に、上述した参考例では、レッグ開口周囲部Ｃのギャザー１４ａ、１４ｂと胴周囲部Ｂのギャザー１７との間には弾性伸縮部材が介在されておらず、即ち、レッグ開口周囲部Ｃの伸縮部材１２ａ、１２ｂと、胴周囲部Ｂの伸縮部材１７ａ、１７ｂとの間に他の伸縮部材は配置されていない。
【００２４】
このような伸縮部材が存在しない領域の幅は１０〜１００mm、好ましくは１０〜７０mmであり、このように、レッグ開口周囲部Ｃのギャザー１４ａ、１４ｂと胴周囲部Ｂのギャザー１７との間にギャザーが存在しないことにより、伸縮部材による着用者の脚の働きを妨げるということがなく、更に、胴周囲部Ｂのギャザー１７とレッグ開口周囲部Ｃのギャザー１４ａ、１４ｂとが他から影響を受けることなく独自に作用するのでそれぞれのギャザー１７、１４ａ、１４ｂの伸縮物性を損害することがない。従って、参考例の使い捨ておむつによれば優れたフィット性を得ることができる。
【００２５】
次に、本発明の好ましい一実施例について説明する。
本実施例では、上述した参考例において、ウエスト開口周囲部Ａにおける背側部と腹側部との伸縮応力が異なるように構成されており、その他の点においては、上述の参考と略同様に構成されている。
即ち、ウエスト開口周囲部Ａにおける背側部の伸縮部材１１ｂと腹側部の伸縮部材１１ａの伸縮応力が異なるように設定されているが、背側部の伸縮部材１１ｂと腹側部の伸縮部材１１ａの伸縮応力の異なる度合は、おむつの種類、例えば、幼児用や大人用によって異なり、やせ型や肥満型等においても異なるので一概には特定されるものではないが、幼児に対しては腹側部の応力を高く設定した方がフィット性及び取扱い上便利である。なぜなら、姿勢による腹囲長の変化は主に腹側部の膨脹、収縮が原因であり、これに追従するためには、腹側部の応力を高くする必要があり、また、寝た切り者に対し、介護者が襁褓を装脱着するにも、腹側部の応力が高い方が操作がし易いからである。具体的には、１０〜１４０ｇ、好ましくは１０〜９０ｇだけ背側部に比べて腹側部のギャザーの応力が高く設定されていることが望ましい。
【００２７】
この本実施例によるパンツ型の使い捨ておむつによれば、上記ウエスト開口周囲部において、腹側と背側の伸縮応力が異なり、それぞれの部分に応じて伸縮応力を付与するので、着用者の身体形状あるいは活動度に応じて身体の各部分にフィットし、着用者を圧迫することなく効果的に漏れ及びずり落ちを防止することができる。
【００２８】
また、本実施例による使い捨ておむつを用いれば、大人用おむつとして用いた場合、着用者が寝たきりの状態でも、背側部に比べて腹側部の伸縮応力が高いので装脱着しやすい。
本発明は上述した一実施例に限定されることなく、本発明の要旨を逸脱しない範囲で種々変形可能である。
【００２９】
例えば、胴周囲部Ｂには、伸縮部材１７ａ、１７ｂを一部分に配置することに限らず、図４にその展開図を示すように、周囲全体に亘って配置するものであってもよい。
【００３０】
【発明の効果】
本発明の使い捨ておむつは、吸収性物品の基本性能である排泄物の防漏性及び着用者への追従性に優れるものである。
更に、介護者が着用させる場合においても側部の伸縮物性が均一でないので、着用時等においても操作し易い。
【図面の簡単な説明】
【図１】  本発明の参考例による使い捨ておむつの展開図である。
【図２】  図１に示す使い捨ておむつの略半分を拡大して示す平面図である。
【図３】  図１に示す使い捨ておむつの着用状態を示す斜視図である。
【図４】  本発明の一実施例による使い捨ておむつの展開図である。
【図５】  使い捨ておむつの着用者への対応箇所を示す図である。
【符号の説明】
１  パンツ型おむつ
２  トップシート
３  バックシート
４  吸収体
５  本体
６  腹側部
７  背側部
６ａ、６ｂ、７ａ、７ｂ  両側縁部
Ａ  ウエスト開口周囲部
Ｂ  胴周囲部
Ｃ  レッグ開口周囲部
【図１】
0003695972.tif 000002
【図２】
0003695972.tif 000003
【図３】
0003695972.tif 000004
【図４】
0003695972.tif 000005
【図５】
0003695972.tif 000006